【事件の表示】
　特許第３１４９９０８号「画像入力装置」の請求項１に係る特許に対する特許異議の申立てについて、次のとおり決定する。
【結　論】
　訂正を認める。
　特許第３１４９９０８号の請求項１に係る特許を維持する。
【理　由】
１．手続の経緯
　特許第３１４９９０８号に係る発明についての出願は、平成４年１０月９日に実用新案登録出願されたものであって、その後特許出願に出願変更され、平成１３年１月１９日にその発明について特許の設定登録がなされ、その後、その特許請求の範囲における請求項１に係る発明について、異議申立人藤田健より特許異議の申立てがなされ、取消理由通知がなされ、その指定期間内である平成１４年３月５日に訂正請求がなされたものである。
　
２．訂正の適否について
（１）訂正の内容
　平成１４年３月５日付けの訂正請求書による訂正事項は、
　ア．特許請求の範囲における請求項１の
　「【請求項１】原稿を証明する光源と、
　前記光源によって照明された原稿画像の画像情報を読み取る撮像素子と、
　前記画像情報を前記撮像素子上に投影する投影光学系と
を備える画像入力装置において、
　前記撮像素子及び前記投影光学系を有害光線から遮断する遮光板を前記装置のシャーシに固定し、前記撮像素子及び前記投影光学系を前記遮光板と前記シャーシとの間に配置したことを特徴とする画像入力装置。」
を、
　「【請求項１】原稿を証明する光源と、
　前記光源によって照明された原稿画像の画像情報を読み取る撮像素子と、
　前記画像情報を前記撮像素子上に投影する投影光学系と
を備える画像入力装置において、
　前記撮像素子及び前記投影光学系を有害光線から遮断する遮光板を前記装置のシャーシに固定し、前記撮像素子及び前記投影光学系を前記遮光板と前記シャーシとの間に当接して配置したことを特徴とする画像入力装置。」
と訂正し、
　
イ．明瞭でない記載の釈明を目的として、明細書の段落番号【０００９】における記載
　「ＣＣＤ９及び投影光学系１１を遮光板１２とシャーシ６との間に配置したことを特徴とする。」を、
　「ＣＣＤ９及び投影光学系１１を遮光板１２とシャーシ６との間に当接して配置したことを特徴とする。」
と訂正するものである。
　
（２）訂正の目的の適否、新規事項の有無及び拡張・変更の存否
　上記訂正事項アは、願書に添付した明細書に記載された事項の範囲内において訂正するものであり、特許請求の範囲の減縮に該当し、新規事項の追加に該当しない。
　上記訂正事項イは、明瞭でない記載の釈明を目的として、願書に添付した明細書に記載された事項の範囲内において訂正するものであり、新規事項の追加に該当しない。
　そして、上記訂正は、実質上特許請求の範囲を拡張し、変更するものでもない。
　　
（３）以上のとおりであるから、上記訂正は、特許法第１２０条の４第２項及び同条第３項において準用する特許法第１２６条第２項から第４項までの規定に適合するので、当該訂正を認める。
　
３．特許異議の申立てについて
（１）申立の理由の概要
　異議申立人藤田健は、証拠として
甲第１号証（特開平１−１９４５６７号公報）を提出し、本件請求項１に係る発明は、甲第１号証に記載された発明に基いて当業者が容易に発明をすることができたものであり、特許法第２９条第２項の規定により特許を受けることができないものであるから、本件請求項１に係る発明の特許を取消すべき旨主張している。
　
（２）本件発明
　平成１４年３月５日付けで提出された訂正明細書の請求項１に係る発明は、その特許請求の範囲の請求項１に記載された次のとおりのものである。
　　
【請求項１】原稿を証明する光源と、
　前記光源によって照明された原稿画像の画像情報を読み取る撮像素子と、
　前記画像情報を前記撮像素子上に投影する投影光学系と
を備える画像入力装置において、
　前記撮像素子及び前記投影光学系を有害光線から遮断する遮光板を前記装置のシャーシに固定し、前記撮像素子及び前記投影光学系を前記遮光板と前記シャーシとの間に当接して配置したことを特徴とする画像入力装置。
　　
４．引用刊行物記載の発明
　当審が通知した取消理由に引用した刊行物１（特開平１−１９４５６７号公報）（甲第１号証）には、以下の事項が記載されている。
　　　
（ア）「原稿Ｄは、スライドレール２上を移動する露光光源ユニット３に設けられた露光ランプ４によって照明される。」（第２頁右下欄第８〜１０行）
　　
（イ）「撮像ユニット１０は撮像用レンズ１１、色分解手段としてのプリズム１２、第１読取基板１４Ｂ、ラインイメージセンサたるブルーチャンネル（以下、Ｂ−ｃｈという）ＣＣＤ１３Ｂ、第２読取基板１４Ｇ、グリーンチャンネル（以下、Ｇ−ｃｈという）ＣＣＤ１３Ｇ、第３読取基板１４Ｒとラインイメージたるレッドチャンネル（以下、Ｒ−ｃｈという）ＣＣＤ１３Ｒとから構成される。
　第１ミラー５、第２ミラー７、第３ミラー８により伝達された原稿画像は撮像レンズ１１により集束され、色分解プリズム１２内に設けられたダイクロイックミラーによりＢ−ｃｈ像とＧ−ｃｈ像とＲ−ｃｈ像とに分離される。そして、Ｂ−ｃｈ像は第１読取基板１４Ｂ上に設けられたＢ−ｃｈＣＣＤ１３Ｂの受光面に結像され、Ｇ−ｃｈ像は第２読取基板１４Ｇ上に設けられたＧ−ｃｈＣＣＤ１３Ｇの受光面に結像され、Ｒ−ｃｈ像は第３読取基板１４Ｒ上に設けられたＲ−ｃｈＣＣＤ１３Ｒの受光面に結像される。」（第３頁左上欄第３〜１９行）
　　
（ウ）「上記撮像ユニット１０は保持台１５、ベース板１６、取付板１７に位置決めされ、前記スライドレール２に取付固定されていて、これらは遮光カバー１８により覆われて、入射光路以外を遮光している。」（第３頁右第９〜１２行）
　
（エ）図面第１図（第５頁上欄）
　
　よって、刊行物１には、原稿を照明する露光光源ユニット３と、前記露光光源ユニット３によって照明された原稿Ｄの画像情報を読み取るＣＣＤ１３Ｂ、ＣＣＤ１３Ｇ、ＣＣＤ１３Ｒと、前記画像情報を前記ＣＣＤ１３Ｂ、ＣＣＤ１３Ｇ、ＣＣＤ１３Ｒ上に投影する撮像用レンズ１１及び撮像ユニット１０とを備える画像読取装置において、
　前記ＣＣＤ１３Ｂ、ＣＣＤ１３Ｇ、ＣＣＤ１３Ｒ及び前記撮像用レンズ１１、撮像ユニット１０を有害光線から遮断する遮光カバー１８を設け、
　前記ＣＣＤ１３Ｂ、ＣＣＤ１３Ｇ、ＣＣＤ１３Ｒ及び前記撮像用レンズ１１、撮像ユニット１０を前記遮光カバー１８と前記機枠底板３４との間に配置した画像読取装置が記載されている。
　　
５．対比・判断
　請求項１に係る発明と刊行物１に記載された発明とを対比すると、
　刊行物１に記載された発明はいずれも、請求項１に記載された発明の要件である
　「前記撮像素子及び前記投影光学系を有害光線から遮光する遮光板を前記装置のシャーシに固定する」こと、及び
　「前記撮像素子及び前記投影光学系を前記遮光板と前記シャーシとの間に当接して配置する」ことについて開示も示唆もしない。
　そして、請求項１に係る発明は、上記要件を有することにより、明細書記載の「遮光板１２を光学部品の保持部材として利用できるようにしたので、結果的にコストの低減を図ることができる。しかも光学部品のシャーシ６に対する固定に接着剤を使用しないため、保守の際の部品の着脱が容易となる。」という効果を奏するものであるから、請求項１に係る発明は、刊行物１に記載された発明であるとも、刊行物１に記載された発明に基いて当業者が容易に発明をすることができた発明であるともいえない。
　
６．むすび
　以上のとおりであるから、特許異議申立の理由及び証拠によっては、本件請求項１に係る発明の特許を取り消すことができない。
　また、他に本件請求項１に係る発明の特許を取り消すべき理由を発見しない。
　よって、結論のとおり決定する。
【異議決定日】
平成１４年３月２２日（２００２．３．２２）
【訂正の要旨】
訂正の要旨
▲１▼特許請求の範囲における請求項１の記載
　「【請求項１】原稿を証明する光源と、
　前記光源によって照明された原稿画像の画像情報を読み取る撮像素子と、
　前記画像情報を前記撮像素子上に投影する投影光学系と
を備える画像入力装置において、
　前記撮像素子及び前記投影光学系を有害光線から遮断する遮光板を前記装置のシャーシに固定し、前記撮像素子及び前記投影光学系を前記遮光板と前記シャーシとの間に配置したことを特徴とする画像入力装置。」
を、特許請求の範囲の減縮を目的として、
　「【請求項１】原稿を証明する光源と、
　前記光源によって照明された原稿画像の画像情報を読み取る撮像素子と、
　前記画像情報を前記撮像素子上に投影する投影光学系と
を備える画像入力装置において、
　前記撮像素子及び前記投影光学系を有害光線から遮断する遮光板を前記装置のシャーシに固定し、前記撮像素子及び前記投影光学系を前記遮光板と前記シャーシとの間に当接して配置したことを特徴とする画像入力装置。」
と訂正し、
▲２▼明瞭でない記載の釈明を目的として、明細書の段落番号【０００９】における記載
　「ＣＣＤ９及び投影光学系１１を遮光板１２とシャーシ６との間に配置したことを特徴とする。」
を、
　「ＣＣＤ９及び投影光学系１１を遮光板１２とシャーシ６との間に当接して配置したことを特徴とする。」
と訂正する。
（５４）【発明の名称】
画像入力装置
（５７）【特許請求の範囲】
　【請求項１】　原稿を照明する光源と、
　前記光源によって照明された原稿画像の画像情報を読み取る撮像素子と、
　前記画像情報を前記撮像素子上に投影する投影光学系と
　を備える画像入力装置において、
　前記撮像素子及び前記投影光学系を有害光線から遮断する遮光板を前記装置のシャーシに固定し、前記撮像素子及び前記投影光学系を前記遮光板と前記シャーシとの間に
当接して
　【請求項２】　前記遮光板は前記投影光学系及び前記撮像素子を保持することを特徴とする請求項１記載の画像入力装置。
　【請求項３】　前記遮光板は弾性部材で構成されたことを特徴とする請求項１または２記載の画像入力装置。
【発明の詳細な説明】
　【０００１】
　【発明の属する技術分野】
　本発明は、画像入力装置に係り、特に有害光線を遮断する遮光板を備えた画像入力装置に関する。
　【０００２】
　【従来の技術】
　例えば３５ｍｍフィルムスキャナのような画像入力装置は、従来は図６及び図７に示すように構成されていた。図６において、装置本体には、図示しない光源が収納された発光部１０２と、図示しない投影光学系及び撮像素子としてのＣＣＤが収納された受光部１０１とから構成されている。また、発光部１０２と受光部１０１との間には、原稿保持部１０３が設けられており、上方から原稿１０４を着脱するようになっている。さらに装置本体上には、逆Ｕ字状の遮光板１０５が光軸方向に移動可能に設けられており、原稿保持部１０３を開閉できるようになっている。そして原稿１０４の着脱は、図６に示すように、遮光板１０５を開いた状態で行なわれ、原稿画像の画像情報の読み取りは、図７に示すように、遮光板１０５を閉じた状態で行なわれる。
　【０００３】
　上記の構成によると、図６に示すように、遮光板１０５を開いた状態では、有害光線１０６が直接原稿１０４に入射し、画像情報が劣化するおそれがあるが、図７に示すように遮光板１０５を閉じた状態では、有害光線１０６の入射を防ぐことができる。
　【０００４】
　また、従来の別の画像入力装置としては、図８及び図９に示すものもあった。図８、図９において、原稿保持部１１１は、アーム１１２を介して水平方向に支持されており、アーム１１２は、フレーム１１３に水平方向に設けられたガイドレール１１４に案内されて移動可能となっている。またアーム１１２は、モータ１１５によって回転駆動される送りネジ１１６により水平方向に移動される。さらに原稿保持部１１１の上部には、光源１１７が配置されて、光源１１７の直下の基板１１８上には、４５度反射ミラー１１９が設けられている。また基板１１８上には投影レンズ１２０が設けられており、光源１１７から発した光は、原稿保持部１１１上の図示しない原稿を照射し、投影レンズ１２０によってＣＣＤ１２１上に結像されるようになっている。
　【０００５】
　一方、断面がほぼ逆Ｕ字状に形成された遮光板１２２は、原稿保持部１１１と基板１１８との間に配置され、両端が基板１１８に固定されている。また遮光板１２２には、光源１１７と反射ミラー１１９とを結ぶ光軸上にスリット１２２ａが形成されている。上記の構成によると、画像情報の光線１２３はスリット１２２ａを介して投影光学系に入射されるが、画像情報以外の光源からの光線１２４や外乱光線１２５などの有害光線は遮光板１２２により遮断され、ＣＣＤ１２１に入射することがない。
　【０００６】
　【発明が解決しようとする課題】
　しかしながら図６及び図７に示す従来の画像入力装置においては、遮光板１０５を閉め忘れて有害光線１０６が投影光学系に進入し、画像情報を劣化させるおそれがあった。また、図６乃至図９に示す従来の各画像入力装置においては、独立部品としての遮光板１０５，１２２が必要となるため、部品コスト、組立コストが増大するという問題があった。
　【０００７】
　一方、反射ミラー１１９や投影レンズ１２０などの投影光学系及びＣＣＤ１２１は、ガラスなどの振動、衝撃に弱い部品で構成されており、これらの外力が直接部品に作用しないように、基板１１８に固定しなければならない。また、金属とガラス部品とを固定する場合には、両者の熱膨張係数の違いによるガラス部品の破損がないようにしなければならない。このため、一般に上記部品の固定には、弾性接着剤のような接着剤が硬化しても弾力を維持するものを使用している。しかし、このような接着剤は硬化時間が多くかかり、工程コストが増大するという欠点があった。
　【０００８】
　本発明は、このような状況に鑑みてなされたもので、有害光線を確実に遮光することができ、光学部品を安定して保持することができて、しかも工程コストを低減することのできる画像入力装置を提供することを目的とする。
　【０００９】
　【課題を解決するための手段】
　請求項１に記載の画像入力装置は、原稿３を照明する光源５と、光源５によって照明された原稿画像の画像情報を読み取る撮像素子としてのＣＣＤ９と、画像情報をＣＣＤ９上に投影する投影光学系１１とを備える画像入力装置において、ＣＣＤ９及び投影光学系１１を有害光線１５，１６から遮断する遮光板１２を装置のシャーシ６に固定し、ＣＣＤ９及び投影光学系１１を遮光板１２とシャーシ６との間に
当接して
　【００１０】
　請求項２に記載の画像入力装置は、遮光板１２は投影光学系１１及びＣＣＤ９を保持することを特徴とする。
　【００１１】
　請求項３に記載の画像入力装置は、遮光板１２が弾性部材で構成されたことを特徴とする。
　【００１２】
　上記構成の画像入力装置においては、遮光板１２がＣＣＤ９及び投影光学系１１を被覆しているので、有害光線１５，１６を確実に遮断することができる。また、遮光板１２を弾性部材で構成し、投影光学系１１及びＣＣＤ９を保持することにより、これらの部品をシャーシ６に弾性的に押さえ付けることができ、振動、衝撃、熱歪、収縮に対して安定的に保持することができる。
　【００１３】
　【発明の実施の形態】
　以下、本発明の画像入力装置の一実施の形態を図面を参照して説明する。
　【００１４】
　図１乃至図５に本発明の一実施の形態の構成を示す。図１及び図５において、装置の筺体１の前面パネル２には、原稿３の挿入、取出しを行なう開口部２ａが設けられている。また筺体１内には、開口部２ａに対向して原稿保持部材４が水平方向に移動可能に設けられており、原稿保持部材４には、原稿３が保持されている。さらに原稿保持部材４の下部には、照明用の光源５が設けられており、原稿３を下方から垂直に照射している。
　【００１５】
　筐体１の上部内面にはシャーシ６が取り付けられており、シャーシ６には、下方に向って垂直に突出するリブ６ａと、ほぼ矩形状の開口部６ｂとが設けられている。またシャーシ６の内面とリブ６ａとの間には、４５度反射ミラー７の直交する二辺が当接し、開口部６ｂには投影レンズ８の外周が当接するように配置されている。さらにシャーシ６の図中右端には、ＣＣＤ９を保持するセンサホルダ１０が装着されている。
　【００１６】
　一方、反射ミラー７及び投影レンズ８によって構成される投影光学系１１及びセンサホルダ１０の下部には、弾性部材で構成された遮光板１２が設けられている。遮光板１２は、図３及び図４に示すように、シャーシ６の下面に、光軸方向に平行に突出して設けられた左右１対のリブ６Ｃにネジ１３により固定されている。遮光板１２の図中左端近傍には、左右１対の舌片１２ａが形成されており、図２に示すように、舌片１２ａは上方に折り曲げられ、ガラスミラー７をシャーシ６の内面に弾性的に押圧して保持している。
　【００１７】
　遮光板１２の中央には矩形状の段差部１２ｂが形成されており、段差部１２ｂの周辺は、下方に向って突出するテーパ面１２ｃとなっている。そして投影レンズ８の外周は、段差部１２ｂの内面に当接し、遮光板１２の弾性によりシャーシ６の開口部６ｂ内に押圧保持されている。またセンサホルダ１０は、遮光板１２の図中右端１２ｄとシャーシ６の内面との間に挟持され、遮光板１２の弾性により保持されている。この状態で、図１に示す光源５から発した光で照射された原稿３の画像情報の光軸１４上に、投影レンズ８及びＣＣＤ９が配置されている。
　【００１８】
　本実施の形態によれば、反射ミラー７及び投影レンズ８からなる投影光学系１１及びＣＣＤ９は遮光板１２によって被覆されているので、パネル２の開口部２ａから入射する外乱光線１５や、光源５から発する画像情報以外の光線１６などの有害光線が、投影光学系１１やＣＣＤ９に入ることを確実に遮断することができる。またこられにゴミなどが付着することも防止でき、防塵の効果も得られる。この結果画像情報の劣化を防止することができる。
　【００１９】
　一方、遮光板１２を光学部品の保持部材として利用できるようにしたので、結果的にコストの低減を図ることができる。しかも光学部品のシャーシ６に対する固定に接着剤を使用しないため、保守の際の部品の着脱が容易となる。また遮光板１２を弾性部材で構成しているため、振動、衝撃、熱歪、収縮などに対して光学部品を安定的に保持することができる。すなわち、反射ミラー７、投影レンズ８、ＣＣＤ９などに外力が作用しても、遮光板１２の各部１２ａ，１２ｂ，１２ｃ，１２ｄにより前記外力を吸収することができ、各光学部品の破損を防ぐことができる。さらに反射ミラー７が周囲温度により熱膨張した場合でも、遮光板１２の舌片１２ａの変形により追従することができる。
　【００２０】
　【発明の効果】
　以上説明したように、本発明の画像入力装置によれば、撮像素子及び投影光学系をシャーシに固定された弾性を有する遮光板で被覆し、遮光板によって撮像素子及び投影光学系を弾性的に保持するようにしたので、有害光線を確実に遮光することができ、光学部品の外力などによる破損を防止し、しかも光学部品の着脱を容易にして工程コストの低減を図ることができる。
【図面の簡単な説明】
　【図１】
　本発明の画像入力装置の一実施の形態の構成を示す縦断面図である。
　【図２】
　図１の要部拡大縦断面図である。
　【図３】
　図２の一部断面平面図である。
　【図４】
　図３のＡ−Ａ線断面図である。
　【図５】
　図１の外観斜視図である。
　【図６】
　従来の画像入力装置の一例の遮光板を開いたときの状態を示す外観斜視図である。
　【図７】
　図６の遮光板を閉じたときの状態を示す外観斜視図である。
　【図８】
　従来の画像入力装置の他の一例の構成を示す分解斜視図である。
　【図９】
　図８の組立斜視図である。
　【符号の説明】
　３　原稿
　５　光源
　６　シャーシ
　９　ＣＣＤ（撮像素子）
　１１　投影光学系
　１２　遮光板
　１５，１６　有害光線